(57)【要約】      （修正有）【課題】衣類や袋物などの開口部分の係止に際して、係止部の任意の箇所を、縫合やカシメ等の加工を伴うことなく、着脱自在に、かつ確実に係止することのできる留め具を提供する。【解決手段】相互を着脱自在に係止する雌ホック９と雄ホック８からなる着脱部を有する少なくとも一対の留め部材ａ，ｂからなり、留め部材のそれぞれが一面にピアス針２を設けた基板１と、ピアス針の貫通する底板５と貫通したピアス針先端部を覆うための椀状体からなるピアスキャッチ３と、を具える。一方の基板１に、バッグやマフラーに取りつけた安全ピン等の針金に係止するためのフックを設けるのが好ましい。【選択図】図１
0003196484.tif 000002
【実用新案登録請求の範囲】
【請求項１】
布等の面材を貫通させるピアス針を設けた一対の基板と、
前記基板に対応して設けられ且つ前記ピアス針を挟持するピアスキャッチと、
一方の基板に対応するピアスキャッチの外周に第一着脱片を設け、他方の基板に前記ピアスキャッチを囲む形状の第二着脱片を設け、第一着脱片及び第二着脱片の一方に設けた雄ホック及び他方に設けた雌ホックから構成されると共に、前記第一着脱片と第二着脱片との着脱の際に必要となる力が、前記ピアスキャッチがピアス針を保持する力より小さくなるように設定された着脱手段と、
を備えたことを特徴とする留め具。
【請求項２】
前記一方の基板に針金に係止するフックを設けたことを特徴とする請求項１に記載の留め具。
【請求項３】
前記ピアスキャッチまたは基板に、アクセサリーの着脱手段を設けたことを特徴とする請求項１又は２のいずれか一つに記載の留め具。
【請求項４】
前記ピアスキャッチにピアス針の着脱操作部分を少なくとも覆うキャップを設けたことを特徴とする請求項１〜３のいずれか一つに記載の留め具。
【考案の詳細な説明】
【技術分野】
【０００１】
本考案は、ピアスキャッチ付きピアス針を用いた衣類や袋物等の開口部分を自在に開閉するための留め具に関するものである。
【背景技術】
【０００２】
従来から、特許文献１に記載されている取っ手が知られている。この取っ手は、摘み部の両端に二重にリングを設け、当該特許文献１の図２５に示すように、このリングに所定の形に折り畳んだ風呂敷の端部を固定し、全体としてハンドバッグとして用いるものである。
【先行技術文献】
【特許文献】
【０００３】
【特許文献１】特開２００８−１１０１９６号公報
【考案の概要】
【考案が解決しようとする課題】
【０００４】
しかしながら、上記取っ手と風呂敷とを用いてハンドバッグを形成した場合、物を出し入れする開口部が開いたままになる。一方、通常の金具やファスナーを用いる場合、カシメ・縫合等の加工作業を必要とするので、大変面倒であるという問題点があった。
【課題を解決するための手段】
【０００５】
上記の問題点を解決するために、本考案の留め具は、
布等の面材を貫通させるピアス針を設けた一対の基板と、
前記基板に対応して設けられ且つ前記ピアス針を挟持するピアスキャッチと、
前記一対の基板に設けられ且つ当該基板同士を着脱可能とすると共に着脱の際に必要となる力が、前記ピアスキャッチがピアス針を保持する力より小さくなるように設定された着脱手段と、
を備えたことを特徴とする。
【０００６】
前記着脱手段は、一方の基板に設けた雄ホック及び他方の基板に設けた雌ホックから構成されるのが好ましい。
【０００７】
また、前記着脱手段は、一方の基板に設けたマグネットと、他方の基板に設けたマグネット又は磁性体とから構成されるのが好ましい。
【０００８】
前記一方の基板に凸部を設け、他方の基板に前記凸部に対応する凹部を設けても良い。
【０００９】
また、本考案の留め具は、布等の面材を貫通させるピアス針を設けた一対の基板と、
前記一対の基板に対応して設けられ且つ前記ピアス針を挟持するピアスキャッチと、
一方の基板に対応するピアスキャッチの外周に第一着脱片を設け、他方の基板に前記ピアスキャッチを囲む形状の第二着脱片を設け、第一着脱片及び第二着脱片がマグネット同士又はマグネットと磁性体との組み合わせから構成される着脱手段と、
を備えたことを特徴とする。
【００１０】
更に、本考案の留め具は、
布等の面材を貫通させるピアス針を設けた一対の基板と、
前記一対の基板に対応して設けられ且つ前記ピアス針を挟持するピアスキャッチと、
一方の基板に対応するピアスキャッチの外周に第一着脱片を設け、他方の基板に前記ピアスキャッチを囲む形状の第二着脱片を設け、第一着脱片及び第二着脱片の一方に設けた雄ホック及び他方に設けた雌ホックから構成される着脱手段と、
を備えたことを特徴とする。
【００１１】
また、前記一方の基板に針金に係止するフックを設けるのが好ましい。
【００１２】
また、本考案の留め具は、布等の面材を貫通させるピアス針を設けた基板と、
前記基板に対応して設けられ且つ前記ピアス針を挟持するピアスキャッチと、
前記基板に設けたマグネットと、
を備えたことを特徴とする。
【００１３】
また、前記ピアスキャッチまたは基板に、アクセサリーの着脱手段を設けるのが好ましい。
【００１４】
また、前記ピアスキャッチにピアス針の着脱操作部分を少なくとも覆うキャップを設けるのが好ましい。
【図面の簡単な説明】
【００１５】
【図１】本考案の実施の形態1に係る留め具（Ａタイプ）の構造を示す断面図である。
【図２】図１に示した留め具をハンドバッグ等の開口部に取り付けた状態を示す説明図である。
【図３】実施の形態２に係る留め具（Ｂタイプ）を示す部分破断側面図である。
【図４】図３に示した留め具の使用状態を説明図である。
【図５】本考案の実施の形態３に係る留め具（Ｃタイプ）の構造を示す部分破断側面図である。
【図６】図５に示した留め具の使用状態を示す説明図である。
【図７】実施の形態４に係る留め具（Ｂタイプ）を示す部分破断側面図である。
【図８】図７に示した留め具の使用状態を示す説明図である。
【図９】実施の形態５に係る留め具（Ｄタイプ）の構造を示す部分破断側面図である。
【図１０】図９に示した留め具の使用状態を示す説明図である。
【図１１】実施の形態１〜３に係るピアスキャッチ３の構造を変更したピアスキャッチを示す部分破断側面図である。
【図１２】実施の形態４および５に係るピアスキャッチの構造を変更したピアスキャッチを示す断面図である。
【図１３】図１２に示す留め具にアクセサリーを取り付けた状態を示す説明図である。
【図１４】実施の形態７に係るピアスキャッチを示す断面図である。
【図１５】実施の形態８に係る留め具を示す断面図である。
【図１６】実施の形態９に係る留め具を示す断面図である
【図１７】図１６に示した留め具の使用状態を示す説明図である。
【図１８】実施の形態１０に係る留め具を示す断面図である。
【図１９】図１８に示した留め具の使用状態を示す説明図である。
【図２０】実施の形態１１に係る留め具を示す断面図である。
【図２１】図２０に示した留め具の使用状態を示す説明図である。
【図２２】実施の形態１２に係る留め具を示す断面図である。
【図２３】図２２に示した留め具の使用状態を示す説明図である。
【図２４】上記実施の形態１〜１２に示した留め具の使用態様を示す説明図である。
【図２５】トートバッグに留め具を適用した例を示す説明図である。
【図２６】マフラーやストールに留め具を適用した例を示す説明図である。
【図２７】留め具の留め部材を一つだけ使用する場合の例を示す説明図である。
【図２８】図２７に示した留め部材の使用状態を示す説明図である。
【図２９】実施の形態１０乃至１２の使用方法を示す説明図である。
【考案を実施するための形態】
【００１６】
以下に、本考案の実施の形態を添付する図面を参照して、留め具の留め具部材の係合タイプ別に説明する。なお、各実施の形態ではタイプはＡ、Ｂ、ＣおよびＤタイプのものについて説明したが、本考案の留め具はこれらに限定されるものでない。
【００１７】
図１は、本考案の留め具（Ａタイプ）の構造を示す部分破断側面図である。留め具は一対の留め部材ａ，ｂからなる。これらの留め部材ａ，ｂは、裏面にピアス針２を具えた基板1と、ピアス針２を保持するピアスキャッチ３とをそれぞれ備える。ピアスキャッチ３は、前記ピアス針２の貫通孔４を有する底面部材５と、底面部材５から延伸し前記ピアス針２の先端部を挟持する挟持片７（キャッチ部材）と、底面部材５及び挟持片７を内部に収める筐体６とを有する。基板１は平面的なものが好ましい。布に取り付ける際に当該布をスナップピン３との間で保持するためである。係る観点で、ピアスキャッチ３の基板１側の面も平面的に形成するのが好ましい。
【００１８】
また、留め部材ａの基板１の表面には、着脱部を構成する雌ホック９が設けられている。留め部材ｂの基板1の表面には、着脱部を構成する雄ホック８が設けられている。前記ピアスキャッチ３は、上記構成の他、公知の構造のものを採用できる。
【００１９】
図２は、図１に示した留め具をハンドバッグ等の開口部に取り付けた状態を示す説明図である。まず、それぞれの留め部材ａ，ｂの基板1に設けられたピアス針２をピアスキャッチ３から抜き取った状態にしておく。次いで、それぞれのピアス針２を前記開口部の係止しようとする箇所の対向する布地１０に貫通させ、続いて当該貫通したピアス針２の先端部をピアスキャッチ３の貫通孔４を通し、留め部材ａ，ｂを布地１０に固定させる。留め部材ａ，ｂは、前記開口部の布地１０の対向面にそれぞれ設ける。そして、開口部で対向する留め部材ａ，ｂの雄ホック８および雌ホック９を嵌合させることで、当該開口部を閉じることができる。雄ホック８および雌ホック９を引き離すことで、開口部を開くことができる。
【００２０】
雌ホック９のばねの強さにより、雄ホック８および雌ホック９の嵌合の強さが異なるものとなる。雌ホック９のばねの強さが大きいと、雌ホック９から雄ホック８を取り外す際、雌ホック９と雄ホック８が外れる前にピアスキャッチ３がピアス針２から外れてしまう。即ち、ピアスキャッチ３を摘まんで引っ張った際、ピアスキャッチ３がピアス針２を保持する力より雌ホック９から雄ホック８を外す力のほうが大きいと、ピアスキャッチ３からピアス針２が抜けてしまい、開口部を開口できない。このため、本考案では、雌ホック９のばねの強さを、雄ホック８および雌ホック９の着脱の際に必要となる力が、ピアスキャッチ３がピアス針２を保持する力より小さくなるように、設定するものとする。
【００２１】
この留め具によれば、布又は革であれば何の加工をすることなく、どこにでも取り付けが可能である。また、取り外しが自由なので使い回しができる。また、ピアス針による取付であるため、布に殆ど跡が残らない。そして、留め具を既存の商品に取り付けることで、単なる布が首の前で止められる留め具付きのマフラー、スカーフ、マント等になる。更に、どのような位置にでも簡単に取り付けることができるので、例えばトートバックの閉じたい任意の位置で開閉可能にできる。また、複数の留め具を用いることで、綴じ位置を複数設定できる。
【００２２】
実施の形態２
図３は、実施の形態２に係る留め具（Ｂタイプ）を示す部分破断側面図である。図４は、図３に示した留め具の使用状態を説明図である。なお、実施の形態１に係る留め具と同じ構成要素には同じ符号を付してその説明を省略する。本実施の形態２に係る留め具は、図３に示される留め具の基板１自体をマグネットで形成した点に特徴がある。
【００２３】
このように基板１自体をマグネットで形成することで、基板１同士を簡単に着脱できる。なお、基板１の一方をマグネットで形成し、他方を強磁性体で形成しても良い。また、前記マグネットは、基板１の全面または一部に設けても良い（図示省略）。
【００２４】
また、本考案の留め具を布地１０に取り付けて使用する場合、基板１の厚さは、布地１０と布地１０との間に空間が生じないような厚さにすることが好ましい。さらに、基板１の平面形状は、円形、四角形、矩形など様々な形状であっても良い。また、基板１から延出するピアス針２の数も基板１の形状に依り、１個または複数個設けても良い。なお、複数個のピアス針２を用いる場合には、それぞれのピアス針２に対応した複数のピアスキャッチを用いるものとする。
【００２５】
この留め具によれば、上記同様、布又は革であれば何の加工をすることなく、どこにでも取り付けが可能である。また、取り外しが自由なので使い回しができる。また、ピアス針による取付であるため、布に殆ど跡が残らない。そして、留め具を既存の商品に取り付けることで、単なる布が首の前で止められる留め具付のマフラー、スカーフ、マント等になる。更に、どのような位置にでも簡単に取り付けることができるので、例えばトートバックの閉じたい任意の位置で開閉可能にできる。また、複数の留め具を用いることで、綴じ位置を複数設定できる。特に、マグネットにより着脱できるようにしたので、開閉が簡単である。マグネット力を変えることにより、用途に合わせて最適な開閉力を得ることもできる。
【００２６】
実施の形態３
図５は、本考案の実施の形態３に係る留め具（Ｃタイプ）の構造を示す部分破断側面図である。この留め具は、実施の形態２のＢタイプの留め具の基板１の一方をマグネットから磁性材料に代えたものである。さらに、本実施の形態３では、基板１の着脱面の一方に凹部１１、他方に前記凹部１１に嵌合する凸部１０を形成した点に特徴がある。
【００２７】
図６は、図５に示した留め具の使用状態を示す説明図である。この留め具では、実施の形態１と同様の手順で、ピアス針２およびピアスキャッチ３を使用して、衣類等の開口部の布地１０に留め部材ａ，ｂの基板１を取り付ける。基板１がそれぞれマグネットおよび磁性体によって形成されているので相互の吸引作用によって確実に吸着し、前記開口部を閉じることができる。
【００２８】
また、基板１の凸部１０と凹部１１とが嵌合されるので、基板１同士が面方向にずれることなく正確に重なって吸着する。また、吸着した状態で基板１同士が面方向にずれるのを防止できるので、開口部にずれる力が働いた際に開いてしまうのを防止できる。なお、凸部１０および凹部１１の形状や数は状況に応じて任意に定めることができる。また、同実施の形態では、凸部１０及び凹部１１を基板１の中央に設けたが、これに限定されない。例えば、円形のドーナッツ状に凸部１０及び凹部１１を設け、中央は基板１の面同士がしっかり吸着するようにしても良い。また、基板１の周方向の任意の角度に凸部１０及び凹部１１を設けることで、基板１同士が回転しなくなり、しっかりと吸着される（いずれも変形例については図示省略）。
【００２９】
この留め具によれば、上記同様、布又は革であれば何の加工をすることなく、どこにでも取り付けが可能である。また、取り外しが自由なので使い回しができる。また、ピアス針による取付であるため、布に殆ど跡が残らない。そして、留め具を既存の商品に取り付けることで、単なる布が首の前で止められる留め具付のマフラー、スカーフ、マント等になる。更に、どのような位置にでも簡単に取り付けることができるので、例えばトートバックの閉じたい任意の位置で開閉可能にできる。また、複数の留め具を用いることで、綴じ位置を複数設定できる。特に、マグネットにより着脱できるようにしたので、開閉が簡単である。マグネット力を変えることにより、用途に合わせて最適な開閉力を得ることもできる。
【００３０】
実施の形態４
図７は、実施の形態４に係る留め具（Ｂタイプ）を示す部分破断側面図である。この留め具は、実施の形態２，３の留め具のピアスキャッチ３とは異なるボールキャッチ構造とした点に特徴がある。
【００３１】
この留め具のピアスキャッチ３は、底面部材５に前記ピアス針２を挿通する挿通口４を設けた筐体６と、筐体６の天井部分に貫通配置され且つ指で摘まんで軸方向に可動の摘み部材１５と、筐体６に内設固定された筒状体１８とから構成されている。筐体６は、内部の構造物を収納して保護すると共に外観デザインを美しく見せるための形状をしている。摘み部材１５は、軸方向中央にピアス針２を通す貫通孔１４を有する。また、摘み部材１５の端部には、ワッシャ状の押圧部材１６が設けられる。摘み部材１５の他端には、フランジが形成されており、指で摘み易くなっている。前記押圧部材１６と筐体６との間にはスプリング２０が配置され、このスプリング２０により押圧部材１６が底面部材５方向に付勢される。前記筒状体１８は、端部に天井方向（同図では右方向）に向かって径が拡大する円錐台形の傾斜壁１９を有する。前記筒状体１８は、筐体６と一体化しても良い。この傾斜壁１９と前記押圧部材１６との間には、ピアス針２を挟持するための球体１７が複数配置されている。球体１７は、２個以上とする。
【００３２】
図８は、図７に示した留め具の使用状態を示す説明図である。摘み部材１５の端部のフランジを摘まんで引っ張ると、押圧部材１６と傾斜壁１９による球体１７の拘束が解かれる。この状態で、ピアス針２を前記筐体６の挿通口４から差し込むと、当該ピアス針２が対向する球体１７の間を通って摘み部材１５の貫通孔１４に挿入される。
【００３３】
次に、前記摘み部材１５を手から離すと、スプリング２０の作用で前記押圧部材１６により球体１７が押され、続いて当該球体１７が傾斜壁１９に沿って中心方向に押される。これにより、球体１７がピアス針２に押し付けられ、当該球体１７がピアス針２を挟持する。この状態で前記ピアス針２を抜こうとすると、球体１７が前記傾斜壁１９により当該ピアス針２をより挟持する方向に押されるので、ピアス針２が抜けることはない。
【００３４】
一方、ピアス針２を抜く場合、前記摘み部材１５のフランジを摘まんで引っ張ると、球体１７によるピアス針２の挟持が解かれ、当該ピアス針２を容易に引き抜くことができる。
【００３５】
以上のように、本実施の形態４に係る留め具は、球体１７等によりピアス針２をしっかり挟持するので、開口部の開閉時にピアスキャッチ３が外れることない。このため、トートバッグ等のハードな使用においても布材からピアスキャッチ３が外れることがない。一方、摘み部材１５を引っ張ることで簡単にピアスキャッチ３を取り外すことができる。
【００３６】
更に、この留め具によれば、上記同様、布又は革であれば何の加工をすることなく、どこにでも取り付けが可能である。また、取り外しが自由なので使い回しができる。また、ピアス針による取付であるため、布に殆ど跡が残らない。そして、留め具を既存の商品に取り付けることで、単なる布が首の前で止められる留め具付のマフラー、スカーフ、マント等になる。更に、どのような位置にでも簡単に取り付けることができるので、例えばトートバックの閉じたい任意の位置で開閉可能にできる。また、複数の留め具を用いることで、綴じ位置を複数設定できる。特に、マグネットにより着脱できるようにしたので、開閉が簡単である。マグネット力を変えることにより、用途に合わせて最適な開閉力を得ることもできる。
【００３７】
実施の形態５
図９は、実施の形態５に係る留め具（Ｄタイプ）の構造を示す部分破断側面図である。図１０は、図９に示した留め具の使用状態を示す説明図である。この留め具の一方の留め部材ａは、筐体６の外周中央付近にリング状マグネット２２（第一着脱片）を前記貫通孔１４の形成方向に対して垂直方向に設けると共に、基板１を平板状とし且つその中央からピアス針２を延出させた構造である。基板１は非磁性体でも磁性体でも良い。リング状マグネット２２は、ドーナッツ形状であり径や厚さにより必要な磁力を得る。また、リング状マグネット２２はカバー（図示省略）により被覆されていても良い。更に、筐体６の外周中央付近の形状を前記貫通孔１４に対する垂直方向に張り出してその中に内蔵するようにしても良い（図示省略）。なお、後述するように、ドーナッツ状部材２１によりピアスキャッチ３が隠れるようになればよいので、リング状マグネット２２は筐体より大きければ良い。
【００３８】
前記ピアスキャッチ３の内部構造は実施の形態４に示したピアスキャッチ３と同様であるのでその説明を省略して同一構成要素には同一符号を付する。
【００３９】
他方、留め部材ｂは、平板状の基板１の表面にドーナッツ状部材２１（第二着脱片）を設けた構成である。基板１の中央からはピアス針２が延出する。ピアス針２はピアスキャッチ３により挟持される。前記ドーナッツ状部材２１は、磁性体の金属板から筒状に成形される。ドーナッツ状部材２１は、中実でも良いし、中空でも良い（図示省略）。また、ドーナッツ状部材２１の端面の形状や面積は、前記リング状マグネット２２の形状や面積と略同一とするのが機能上も外観上も好ましい。ドーナッツ状部材２１は、基板１と一体的に構成しても良い。更に、ドーナッツ状部材２１の軸方向長さ（図中左右方向、ピアス針２の長さ方向）は、前記リング状マグネット２２の端面から摘み部材１５の他端のフランジまでの長さより大きいものとする。これにより、ドーナッツ状部材２１によりピアスキャッチ３の筐体６を収納できる。更に、ドーナッツ状部材２１は、筐体６を収納すること、リング状マグネット２２に磁着することを満たせば、その形状は自由である。ドーナッツ状部材２１の内側形状が筐体６の外形状と略同じであることがより好ましい。図１０に示すように、筐体６がドーナッツ状部材２１の内側に隙間なく挿入され、筐体６の端部にアールが設けられていることから、ドーナッツ状部材２１を自然に筐体６に被せて最終的にリング状マグネット２２に吸着できる。
【００４０】
この留め具の使用状態を説明する。留め部材ｂのドーナッツ状部材２１を留め部材ａの筐体６に被せるように、当該ドーナッツ状部材２１をリング状マグネット２２に吸着させる。リング状マグネット２２は筐体６の外側に設けられることで、筐体６がリング状マグネット２２の一方向側に突出し、前記吸着状態で、筐体６がドーナッツ状部材２１の内部に入り込む。これにより、留め部材ａ，ｂ同士が正確な位置で吸着するので、開口部が開いてしまうのを防止できると共に、吸着した状態でドーナッツ状部材２１とリング状マグネット２２とが面方向にずれるのを防止できる。
【００４１】
また、一方の留め部材ａの基板１を平板状にすることで、ピアスキャッチ３が外方に突出する場合と比べ、物品や手指などが引っ掛る問題が生じ難くなる。さらに、この基板１に宝石などの装飾材２３を容易に設けることもできる。なお、本実施の形態では、ピアスキャッチ３は、実施の形態４で示されるタイプが用いられたが、ピアスキャッチ３は、実施の形態１乃至３で示されたどのタイプを使用してもよい。また、ドーナッツ状部材２１をマグネットで構成しても良い。また、リング状マグネット２２は、ドーナッツ状部材２１をマグネットにする場合、これを磁性体で構成する。
【００４２】
実施の形態６
図１１は、実施の形態１〜３に係るピアスキャッチ３の構造を変更したピアスキャッチを示す部分破断側面図である。図１２は、実施の形態４および５に係るピアスキャッチの構造を変更したピアスキャッチを示す断面図である。
【００４３】
図１１に示すピアスキャッチ３には、底面部材５の下方に円筒体２５が設けられ、その外周壁の端部付近にスナップピン溝２１が設けられる。円筒体２５には、中心が開口した円板状の止めリング２４が設けられる。スナップピン２６は、棒状の金属をＣ字形に曲げ成形したものであり、拡げることでスナップピン溝２１に嵌め込むことができる。このスナップピン２６により、止めリング２４が円筒体２５から脱落しないようになる。止めリング２４と筐体６との間には、装飾材２３を嵌持する間隔を形成する。
【００４４】
図１２に示すピアスキャッチ３では、筐体６の外壁中間面にフランジ部が側方に張り出して形成され、且つ、その下方に円筒部位２５が設けられる。円筒部位２５の端部付近にはスナップピン溝２１が設けられる。スナップピン２６は、棒状の金属をＣ字形に曲げ成形したものであり、拡げることでスナップピン溝２１に嵌め込むことができる。このスナップピン２６により、止めリング２４が円筒部位から脱落しないようになる。止めリング２４とフランジ部との間には、装飾材２３を嵌持する間隔を形成する。
【００４５】
図１３は、図１２に示す留め具にアクセサリーを取り付けた状態を示す説明図である。同図の例では、花の形の平面板からなるアクセサリー２３を示す。このアクセサリー２３の板厚は、フランジと止めリングとの間隔より小さいものとする。スナップピン２６を外して止めリングを円筒部位から抜く。そして、中央に開口が形成されたアクセサリー２３を挿入する。アクセサリー２３の中央に設けた開口に前記円筒部位を挿入する。そして、止めリング２４を円筒部位に取り付け、スナップピンをスナップピン溝２１に嵌め込み、止めリング２６とフランジでアクセサリー２３を固定する。なお、アクセサリー２３の形状は、円筒体又は円筒部位に挿入可能であればどのような形状でも良い。
【００４６】
なお、上記図１１に示した留め具においても、上記同様の手順でアクセサリー２３を取り付けることができる（図示省略）。まず、スナップピン２６を外して止めリング２４を円筒体２５から抜き、中央に開口が形成されたアクセサリー２３を挿入する。そして、この花の形状の中央に設けた開口に前記円筒体２５を挿入し、止めリング２４を円筒体２５に取り付ける。最後に、スナップピン２６をスナップピン溝２１に嵌め込み、止めリング２６と底面部材でアクセサリー２３を固定する。
【００４７】
係る構造によれば、アクセサリー２３を簡単にピアスキャッチ３に装着できる。また、前記円筒部材２５を挿通できる穴を備えていれば多くのアクセサリー２３を装着可能にできる。
【００４８】
実施の形態７
図１４は、実施の形態７に係るピアスキャッチを示す断面図である。このピアスキャッチは、実施の形態４乃至６に示した留め具のピアスキャッチに誤動作防止のキャップ３０を設けた点に特徴がある。ピアスキャッチの筐体の外側面には、ネジが形成される。キャップ３０は、内側端部近傍に筐体のネジに対応するネジが形成され、ピアス針２の着脱操作部分である摘み部材を覆うように前記筐体に取り付け可能である。キャップ３０の全体形状は、半球形状でも良いし、蝶形の摘み易い形状としても良い。これにより、前記摘み部材に不用意に接触してピアス針が解放されるのを防止できる。なお、キャップ３０は摘み部材に不用意に接触しないためのものであるから、当該摘み部材の周囲を囲むことができれば、一部が開口していても良い。
【００４９】
実施の形態８
図１５は、実施の形態８に係る留め具を示す断面図である。この留め具では、留め部材aの基板１の表面に凸部３１を設け、留め部材ｂの基板１の表面に凹部３２を設ける。凹部は、基板１に形成した突起部と、この突起部の周囲に嵌めた当該突起部より厚いドーナッツ状の磁石により構成される。基板１同士を吸着する際は、前記凸部３１を凹部３２に嵌め合わせる。なお、ピアスキャッチ３は、実施の形態４〜７に示したものと同じ構造であるが、実施の形態１乃至３に示したものでも良い（図示省略）。
【００５０】
実施の形態９
図１６は、実施の形態９に係る留め具を示す断面図である。図１７は、図１６に示した留め具の使用状態を示す説明図である。この留め具は、一対の留め部材ａ，ｂからなる。これらの留め部材ａ，ｂは、裏面にピアス針２を具えた基板1と、ピアス針２を保持するピアスキャッチ３とをそれぞれ備える。ピアスキャッチ３は、実施の形態４に示したピアスキャッチ３と同様であるのでその説明を省略して同一構成要素には同一符号を付する。
【００５１】
留め部材ａは、ピアスキャッチ３の筐体６の軸方向（図中上下方向、貫通孔１４の長さ方向）外周の略中央位置に鍔６ａが形成される。この鍔６ａの留め部材ｂ側にリング材５１が設けられる。リング材５１の端面の一部が鍔６ａに当接する。リング材５１の内面には、スナップピン５２を保持するスナップピン溝５３が設けられる。スナップピン５２は、棒状の金属をＣ字形に曲げ成形したものであり、拡げることでスナップピン溝５３に嵌め込むことができる。リング材５１の前記鍔６ａ側には、内側に向かって内鍔５１ａが形成され、前記筐体６の鍔６ａに対して当接する。この内鍔５１ａが留め部材ｂの後述する筒状部材６０の端面と当接して位置を規制する。
【００５２】
リング材５１の外面は、同図では単純な円筒曲面となっているが、デザイン性を持たせた形状にしても良い。また、リング材５１に対して固定板５４が設けられる。固定板５４は、円盤状であり中央は筐体６が嵌り込む穴５５が形成され且つ筐体の鍔６ａを保持する浅い環状凹部５６が前記穴５５の周囲に形成される。また、固定板５４の端面は前記リング材５１の端面と当接し、接着や溶接により接合される。リング材５１に固定板５４を取り付けることで前記環状凹部５６に筐体６の鍔６ａが嵌ると共にリング材５１の内鍔５１ａで挟まれるので、筐体６はリング材５１と固定板５４により保持固定される。この状態で筐体６の挿通口４が固定板５４から露出し、摘み部材１５はリング材５１の内部で露出状態となる。スナップピン５２は、筐体６の天井付近に位置する。
【００５３】
一方、留め部材ｂの基板１には、前記ピアス針２とは反対側に筒状部材６０が設けられる。筒状部材６０は、基板１と一体成形しても良い。また、筒状部材６０の軸方向長さ（図中上下方向、ピアス針２の長さ方向）及び直径は、留め部材ａの筐体６及び摘み部材１５を収容できる程度のものとする。また、筒状部材６０の外径は、前記リング材５１の内径より若干小さい。また、筒状部材６０の厚さは、前記留め部材ａのリング材５１の内面と筐体６の外面との間隙に入り込める範囲とする。筒状部材６０の外周には、スナップピン５２と係合する突起部６１が設けられる。突起部６１は略半円形状となりスナップピン５２と滑らかに接触して当該スナップピン５２を押し拡げ易いようにしてある。突起部６１がスナップピン５２に係合した状態で筒状部材６０の端縁がリング材５１の内鍔５１ａに当接するように寸法を決定する。
【００５４】
図１７に示すように、使用する際は、留め部材ａ及び留め部材ｂをそれぞれハンドバッグ等の開口部に取り付ける（図示省略）。ピアスキャッチ３の動作は上記実施の形態４と同様である。留め部材ａ，ｂにより開口を閉じるには、留め部材ｂの筒状部材６０を留め部材ａのリング材５１の内側に挿入すると共に筐体６に被せるように、挿し込む。筒状部材６０の突起部６１がスナップピン５２を押し拡げてこれを乗り越え、その端部が内鍔５１ａに当接する。この状態で筒状部材６０は、内鍔５１ａとスナップピン５２によりリング材５１の内部に保持される。
【００５５】
また、筐体６は、筒状部材６０の内部に入り込む。これにより、留め具の外観は、リング材５１と筒状部材６０とにより支配され内部構造は隠されるので、すっきりとした綺麗なものとなる。また、すっきりした外観で引っ掛かりがないので、ハンドバッグ等の内側に突出しても物が引っかかることがない。
【００５６】
また、一方の留め部材ａの基板１を平板状にすることで、ピアスキャッチ３が外方に突出する場合と比べ、物品や手指などが引っ掛る問題が生じ難くなる。さらに、この基板１に宝石などの装飾材を容易に設けることもできる。なお、本実施の形態では、ピアスキャッチ３は、実施の形態４で示されるタイプが用いられたが、ピアスキャッチ３は、実施の形態１乃至３で示されたどのタイプを使用してもよい。
【００５７】
この留め具によれば、布又は革であれば大きな加工をすることなく、どこにでも取り付けが可能である。また、取り外しが自由なので使い回しが容易である。また、ピアス針による取付であるため、布に殆ど跡が残らない。そして、留め具を既存の商品に取り付けることで、単なる布が首の前で止められるマフラー、スカーフ、マント等になる。更に、どのような位置にでも簡単に取り付けることができるので、例えばトートバックの閉じたい任意の位置で開閉可能にできる。また、複数の留め具を用いることで、綴じ位置を複数設定できる。
【００５８】
実施の形態１０
図１８は、実施の形態１０に係る留め具を示す断面図である。図１９及び図２９（ａ）は、図１８に示した留め具の使用状態を示す説明図である。この留め具では、留め部材aの基板１の表面に凹部６５を設け、留め部材ｂの基板１の表面に凸部６６を設ける。
【００５９】
留め部材ａの基板１には、中央に平面視で円形の突起部６７が設けられる。この周囲には、当該突起部６７より厚いドーナッツ状の磁石６８が設けられる。この基板１と磁石６８とは、カバー６９により覆われている。カバー６９は薄厚の素材からなり、基板１の外周から磁石６８の外周並びに磁石６８の留め部材ｂ側の端面にかけて設けられ、更に磁石６８の内側端部から内部にかけて斜めに設けられている。カバー６９の端部は基板１の突起部６７の角につながる。これにより、留め部材ａの全体でその中央付近に凹部６５が形成される。
【００６０】
留め部材ｂの凸部６６を設けた面と反対面には、図中（ａ）に示すように、フック７０が設けられている。フック７０は、金属製の成形体であり一端７１が基板１に溶着され、中央で基板１の面から離れて外側に湾曲すると共に再び基板１の面に当接し、他端が反り返った形状となっている。これにより、安全ピンＰの針金を反り返りの他端７２から挿し込んでフック７０の内部に入れることができる。図中（ｂ）は、フック７０の代わりに通し穴を設けた例を示す。通し穴７３は、半筒部材７４の両端を基板１に溶着することで形成する。安全ピンＰの針金は、通し穴７３に挿通される。
【００６１】
この留め具は、図２９（ａ）に示すように、留め部材ｂをバッグＢやマフラーＳの一部に着けた安全ピンＰに係止する。安全ピンＰは、例えばハンドバッグの開口の一部に取り付けられたものであり、その際に裏面に出た針金Ｐ１に前記フック７０を挿し込んで当該留め部材ｂを係止する。留め部材ａは、ハンドバッグの前記一部に対応する位置にピアス針２を刺してその裏面からピアスキャッチ３を装着することで当該位置に固定される。続いて、留め部材ａの凹部６５を留め部材ｂの凸部６６に嵌合して磁石６８の磁力により基板１と基板１とを吸着する。これにより、ハンドバッグの開口を開閉可能とすることができる。
【００６２】
この留め具によれば、布又は革であれば大きな加工をすることなく、どこにでも取り付けが可能である。特に、安全ピンＰを用いて取り付けが可能であるため、より汎用性が高まる。更に、取り外しが自由なので使い回しが容易である。また、ピアス針２や安全ピンＰによる取付であるため、布に殆ど跡が残らない。そして、留め具を既存の商品に取り付けることで、単なる布が首の前で止められるマフラー、スカーフ、マント等になる。更に、どのような位置にでも簡単に取り付けることができるので、例えばトートバックの閉じたい任意の位置で開閉可能にできる。また、複数の留め具を用いることで、綴じ位置を複数設定できる。また、アクセサリー付安全ピンを用いると、アクセサリー付開閉留め具にすることができる。
【００６３】
実施の形態１１
図２０は、実施の形態１１に係る留め具を示す断面図である。図２１及び図２９（ｂ）は、図２０に示した留め具の使用状態を示す説明図である。この留め具の留め部材ａは、基板１にリング材８０が設けられる。リング材８０の内面には、スナップピン５２を保持するスナップピン溝５３が設けられる。スナップピン５２は、棒状の金属をＣ字形に曲げ成形したものであり、拡げることでスナップピン溝５３に嵌め込むことができる。リング材８０の外面は、同図では単純な円筒曲面となっているが、デザイン性を持たせた形状にしても良い。
【００６４】
一方、留め部材ｂの基板１には、筒状部材６０が設けられる。筒状部材６０は、基板１と一体成形しても良い。また、筒状部材６０の軸方向長さ（図中上下方向）はリング材８０の軸方向長さ（図中上下方向）と略同じである。また、筒状部材６０の外径は、前記リング材８０の内径より若干小さい。筒状部材６０の外周には、スナップピン５２と係合する突起部６１が設けられる。突起部６１は略半円形状となりスナップピン５２と滑らかに接触して当該スナップピン５２を押し拡げ易いようにしてある。突起部６１がスナップピン５２に係合した状態で筒状部材６０の端縁が留め部材aの基板１の面に当接するように各寸法を決定する。
【００６５】
図２１及び図２９（ｂ）に示すように、使用する際は、例えば留め部材ａをハンドバッグＢの開口部に取り付ける（図示省略）。ピアスキャッチ３の動作は上記実施の形態４と同様である。また、留め部材ｂを安全ピンＰに係止する。安全ピンＰは、前記ハンドバッグの開口部の対応位置に取り付けられたものであり、その際に裏面に出た針金Ｐ１に前記フック７０を挿し込んで当該留め部材ｂを係止する。そして、留め部材ａ，ｂにより開口を閉じるには、留め部材ｂの筒状部材６０を留め部材ａのリング材８０の内側に挿し込む。筒状部材６０の突起部６１がスナップピン５２を押し拡げてこれを乗り越え、その端部が基板１に当接する。この状態で筒状部材６０は、スナップピン５２によりリング材８０の内部に保持される。
【００６６】
留め具の外観は、図２１に示すように、リング材８０と筒状部材６０とがぴったりと嵌合して、すっきりとした綺麗なものとなる。また、すっきりした外観で引っ掛かりがないので、ハンドバッグ等の内側に突出しても物が引っかかることがない。なお、本実施の形態では、ピアスキャッチ３は、実施の形態４で示されるタイプが用いられたが、ピアスキャッチ３は、実施の形態１乃至３で示されたどのタイプを使用してもよい。
【００６７】
この留め具によれば、布又は革であれば大きな加工をすることなく、どこにでも取り付けが可能である。また、取り外しが自由なので使い回しが容易である。また、ピアス針２及び安全ピンＰによる取付であるため、布に殆ど跡が残らない。そして、留め具を既存の商品に取り付けることで、単なる布が首の前で止められるマフラー、スカーフ、マント等になる。更に、どのような位置にでも簡単に取り付けることができるので、例えばトートバックの閉じたい任意の位置で開閉可能にできる。また、複数の留め具を用いることで、綴じ位置を複数設定できる。また、アクセサリー付安全ピンを用いると、アクセサリー付開閉留め具にすることができる。
【００６８】
実施の形態１２
図２２は、実施の形態１２に係る留め具を示す断面図である。図２３は、図２２に示した留め具の使用状態を示す説明図である。同図に示すように、留め部材ｂの基板１の周縁に筒状部材６０を設けるようにしても良い。その他は、実施の形態１１に示す留め部材ｂと同じ構造であるため同一構成要素に同一符号を付する。また、筒状部材６０の外周には、スナップピン５２と係合する突起部６１が設けられる。
【００６９】
留め部材ａは、実施の形態９に示す留め部材ｂと同じ構造であるため同一構成要素に同一符号を付する。
【００７０】
留め具の外観は、図２３に示すように、リング材と筒状部材６０とがぴったりと嵌合して、すっきりとしたより綺麗なものとなる。また、基板１にフランジ状の構造がなく、すっきりした外観で引っ掛かりがないので、ハンドバッグ等の内側に突出しても物が引っかかることがない。なお、本実施の形態では、ピアスキャッチ３は、実施の形態４で示されるタイプが用いられたが、ピアスキャッチ３は、実施の形態１乃至３で示されたどのタイプを使用してもよい。
【００７１】
以上、実施の形態１〜１２に示したように、本考案の留め具は、衣類や袋物の開口部を釦や金具などの縫合やカシメ加工を施すことなく、ピアス針２を開口部の両側の任意の箇所に貫通させた後、付属するピアスキャッチによって固定させることができるので、着脱が容易である。また、ピアス針２の先端がピアスキャッチ３により包含されているので、取り扱いに際して刺し傷の発生などを起こすことがなく安全である。また、着脱自在でかつポータブルであるので、手持ちの風呂敷などを折り畳んで簡易バックとして使用する際の開口部の係止のための留め具として使用することが出来るので即応性も高い。これは安全ピンＰ式の場合でも同様である。
【００７２】
（使用態様の例）
図２４は、上記実施の形態１〜１１に示した留め具の使用態様を示す説明図である。この留め具は、取っ手の両側に設けた二重のリングに風呂敷を固定し、ハンドバッグＢを形成する。そして、図２４（ａ）に示すように、このハンドバッグＢの開口部に留め部材ａ，ｂを取り付ける。取付方法は、上記実施の形態１〜１１に示した通りである。続いて、図２４（ｂ）に示すように、留め部材ａ，ｂ同士を留合わせて開口部を閉じる。
【００７３】
図２５は、トートバッグに留め具を適用した例を示す説明図である。同様に、トートバッグＴの開口部に留め部材ａ，ｂを取り付け、留め部材ａ，ｂ同士を留合わせて開口部を閉じる。
【００７４】
図２６は、マフラーやストールに留め具を適用した例を示す説明図である。例えば、図２６（ａ）に示すように、マフラーＳの２か所に留め部材ａ，ｂを取り付け、マフラーＳを首に巻いて留め部材ａ，ｂ同士を留め合わせる。これにより、マフラーＳを簡単に首回りに固定できる。また、図２６（ｂ）に示すように、ストールＳの２か所に留め部材ａ，ｂを取り付け、ストールＳを頭にかぶり留め部材ａ，ｂ同士を留め合わせる。これにより、ストールＳを簡単にかぶることができる。
【００７５】
図２７は、留め具の留め部材を一つだけ使用する場合の例を示す説明図である。図２８は、図２７に示した留め部材の使用状態を示す説明図である。この留め部材ａは、基板１の表面にマグネット１ａを設けた構成である。この留め部材ａをハンドバッグＢ等の開口部に上記同様の方法により取り付ける。また、この留め部材ａに対向する位置に磁性体のクリップ５０を挟む。このクリップ５０は、磁性体であるため前記留め部材のマグネット１ａに吸着する。このクリップ５０の一面には、アクセサリー５１を装着するようにしても良い。なお、クリップ５０の形状は、前記マグネット１ａが吸着できる面を有するものであれば、図２７に示したものに限定されない。
【符号の説明】
【００７６】
１  基板
２  ピアス針
３  ピアスキャッチ
４  貫通孔
５  底面部材
６  筐体
７  挟持片
【図１】
0003196484.tif 000003
【図２】
0003196484.tif 000004
【図３】
0003196484.tif 000005
【図４】
0003196484.tif 000006
【図５】
0003196484.tif 000007
【図６】
0003196484.tif 000008
【図７】
0003196484.tif 000009
【図８】
0003196484.tif 000010
【図９】
0003196484.tif 000011
【図１０】
0003196484.tif 000012
【図１１】
0003196484.tif 000013
【図１２】
0003196484.tif 000014
【図１３】
0003196484.tif 000015
【図１４】
0003196484.tif 000016
【図１５】
0003196484.tif 000017
【図１６】
0003196484.tif 000018
【図１７】
0003196484.tif 000019
【図１８】
0003196484.tif 000020
【図１９】
0003196484.tif 000021
【図２０】
0003196484.tif 000022
【図２１】
0003196484.tif 000023
【図２２】
0003196484.tif 000024
【図２３】
0003196484.tif 000025
【図２４】
0003196484.tif 000026
【図２５】
0003196484.tif 000027
【図２６】
0003196484.tif 000028
【図２７】
0003196484.tif 000029
【図２８】
0003196484.tif 000030
【図２９】
0003196484.tif 000031